(57)【要約】【課題】接続したメディアプレーヤを接続先の機器が備えるユーザインタフェースにより操作することが可能な表示装置、及び前記表示装置を使用した表示装置セットの提供を目的とする。【解決手段】本発明に係るテレビジョン受信機１００は、メディアプレーヤ２００と電気的に接続可能なメディアプレーヤ接続手段７０と、ユーザインタフェース８０を操作することにより出力される操作信号と、この操作信号に対応したメディアプレーヤ２００対する各種制御命令とを対応付けて記憶する対応関係記憶手段６０と、操作信号を受信するとともに、記憶された対応関係を参照して、受信した操作信号に対応した各種制御命令を接続されたメディアプレーヤ２００に出力するメディアプレーヤ制御手段５０とを備えている。【選択図】図１
2009049770.tif 000002
【特許請求の範囲】
【請求項１】
ユーザインタフェースを操作することで出力される操作信号で駆動を制御される表示装置において、
メディアプレーヤと信号のやり取りができるよう電気的に接続可能なメディアプレーヤ接続手段と、
前記操作信号と、前記メディアプレーヤに対する各種制御命令との対応関係を記憶する対応関係記憶手段と、
前記操作信号を受信するとともに、前記対応関係を参照して、受信した前記操作信号に対応した制御命令を接続された前記メディアプレーヤに出力するメディアプレーヤ制御手段とを有することを特徴とする表示装置。
【請求項２】
前記対応関係記憶手段は、前記操作信号と、前記メディアプレーヤが再生可能なコンテンツとを対応させて記憶することを特徴とする請求項１に記載の表示装置。
【請求項３】
前記ユーザインタフェースは、リモコン装置であって、
前記リモコン装置は、連続操作により順次切り替えが実施されるアップ・ダウンキーを有し、前記アップ・ダウンキーを操作することにより、前記メディアプレーヤ制御手段は、前記記憶された対応関係を順次参照していくことを特徴とする請求項１又は請求項２のいずれかに記載の表示装置。
【請求項４】
前記メディアプレーヤ制御手段は、前記対応関係を画面上に表示させることを特徴とする請求項１から請求項３のいずれか一項に記載の表示装置。
【請求項５】
前記対応関係記憶手段は、前記対応関係を階層状に記憶することを特徴とする請求項１から請求項４のいずれか一項に記載の表示装置。
【請求項６】
前記メディアプレーヤ制御手段は、前記メディアプレーヤが接続されるごとに、前記記憶された対応関係を更新することを特徴とする請求項１から請求項５のいずれか一項に記載の表示装置。
【請求項７】
前記メディアプレーヤ接続手段は、接続した前記メディアプレーヤを充電可能であることを特徴とする請求項１から請求項６のいずれか一項に記載の表示装置。
【請求項８】
ユーザインタフェースを操作することで出力される操作信号で駆動を制御されるテレビジョン受信機と、
所定のコンテンツを再生可能なメディアプレーヤとから成る表示装置セットにおいて、  前記メディアプレーヤと信号のやり取りができるよう電気的に接続可能なメディアプレーヤ接続手段と、
前記操作信号と、前記メディアプレーヤに対する各種制御命令との対応関係を記憶する対応関係記憶手段と、
前記操作信号を受信するとともに、前記対応関係を参照して、前記受信した前記操作信号に対応した制御命令を接続された前記メディアプレーヤに出力するメディアプレーヤ制御手段とを有することを特徴とする表示装置セット。
【請求項９】
テレビジョン放送信号を受信するフロントエンド部を有し、
前記ユーザインタフェースは、複数の操作キー及びアップ・ダウンキーを配置したリモコン装置及び操作パネルであって、
前記メディアプレーヤ接続手段は、前記メディアプレーヤと接続するドッキングステーションを備えるとともに、接続した前記メディアプレーヤを充電可能であって、
前記対応関係記憶手段は、前記操作信号と、前記メディアプレーヤが再生可能なコンテンツとの対応関係を階層状に記憶し、
前記ドッキングステーションに前記メディアプレーヤを接続させた際、前記メディアプレーヤ制御手段は、前記記憶された対応関係を更新するとともに、
前記アップ・ダウンキーを順次操作することにより、前記階層状に記憶された対応関係を順次参照し、画面上に前記対応関係を表示することを特徴とする請求項１に記載の表示装置。
【発明の詳細な説明】
【技術分野】
【０００１】
本発明は、ユーザインタフェースを用いて操作可能な表示装置において、特に、メディアプレーヤと接続可能な表示装置、及び表示装置セットに関するものである。
【背景技術】
【０００２】
現在、音声や映像を再生可能なメディアプレーヤが普及している。ここで、メディアプレーヤとは特定のコンテンツを再生することが可能なデバイスを意味する。その一例として、例えばＡｐｐｌｅ ＣｏｍｐｕｔｅｒのｉＰＯＤ（商標登録）が広く知られている。メディアプレーヤは、持ち運び可能な小型の筐体内に特定のコンテンツを再生することができる機能を備えている。メディアプレーヤの種類としては、上述したｉＰＯＤのような動画データ及び音声データを再生するものの他、ユーザからの操作を受付けるインタフェースを備えるゲーム機器なども含まれる。
【０００３】
また、メディアプレーヤは、外部機器と接続してデータの受け渡しが可能である。例えば、外部機器は、メディアプレーヤを保持するドッキングステーションを備えており、このドッキングステーションには保持されたメディアプレーヤのポートと接続するコネクタが配置されている。これにより、メディアプレーヤのポートとコネクタとを接続させて、データの受け渡しを行なう（例えば、特許文献１参照。）。
【０００４】
さらに、前記したドッキングステーションは、メディアプレーヤと外部機器との間でデータの入出力以外にも、ＦＭ送信機や電源／充電機器としての機能を果たすものも存在する（例えば、特許文献２参照。）。
【０００５】
そして、メディアプレーヤとしての機能を備えた携帯電話においても、ドッキングステーションを用いて外部機器と接続することにより、この携帯電話に記憶された各種データを外部機器に出力することができる（例えば、特許文献３参照。）。
【特許文献１】特表２００６−５２４８７７号公報
【特許文献２】特表２００５−５３３４７７号公報
【特許文献３】特開２００２−２５２５６６号公報
【発明の開示】
【発明が解決しようとする課題】
【０００６】
上述した特許文献１から３の技術は、次のような課題があった。つまり、メディアプレーヤを外部機器と接続した場合、外部機器側のユーザインタフェースを用いてメディアプレーヤを操作することはできなかった。具体的には、外部機器に接続されたメディアプレーヤを外部機器側のユーザインタフェースで操作することはできなかった。
【０００７】
本発明は、前記課題にかんがみてなされたもので、接続したメディアプレーヤを接続先の機器が備えるユーザインタフェースにより操作することが可能な表示装置、及び前記表示装置を使用した表示装置セットの提供を目的とする。
【課題を解決するための手段】
【０００８】
前記課題を解決するために、本発明では、ユーザインタフェースを操作することで出力される操作信号で駆動を制御される表示装置において、メディアプレーヤと信号のやり取りができるよう電気的に接続可能なメディアプレーヤ接続手段と、前記操作信号と、前記メディアプレーヤに対する各種制御命令との対応関係を記憶する対応関係記憶手段と、前記操作信号を受信するとともに、前記対応関係を参照して、受信した前記操作信号に対応した制御命令を接続された前記メディアプレーヤに出力するメディアプレーヤ制御手段とを有する構成としてある。
【０００９】
前記のように構成した発明では、メディアプレーヤ接続手段は、所定のメディアプレーヤと信号のやり取りができるよう電気的に接続可能な構成であり、対応関係記憶手段は、ユーザインタフェースを操作することにより出力される操作信号と、前記メディアプレーヤに対する各種制御命令とを対応付けて記憶することができる。また、メディアプレーヤ制御手段は、操作信号を受信するとともに、対応関係を参照して、受信した操作信号に対応した制御命令を接続された前記メディアプレーヤに出力する。
このため、接続されたメディアプレーヤは、表示装置側のユーザインタフェースの操作により駆動の制御を行なうことができる。
ここで、ユーザインタフェースとは、ユーザの操作を受付けるものであればよく、各種操作キーが配列されたリモコン装置や操作パネル、更には画面上に表示されたアイコンを操作するものであってもよいし、タッチパネルであってもよい。
また、操作信号とは、ユーザインタフェースの操作により表示装置に出力される信号を意味し、制御命令とは、表示装置内の各種デバイスに駆動を行なうよう出力される信号を意味する。
【００１０】
また、対応関係記憶手段が操作信号に対応付けて記憶するものとしては様々なものを想定することができる。そのため、本発明では、前記対応関係記憶手段は、前記操作信号と、前記メディアプレーヤが再生可能なコンテンツとを対応させて記憶した構成としてある。
前記のように構成した発明では、ユーザインタフェースを操作して入力される操作信号と、メディアプレーヤが再生可能なコンテンツとを対応させて記憶しているため、ユーザインタフェースの操作に合わせて表示装置にメディアプレーヤのコンテンツを出力させることができる。
ここで、コンテンツとは、メディアプレーヤが再生できる映像データ、及び音声データを意味する。
【００１１】
また、ユーザインタフェースをリモコン装置とすることにより、さらにメディアプレーヤの操作性を向上させることができる。つまり、本発明では、前記ユーザインタフェースは、リモコン装置であって、前記リモコン装置は、連続操作により順次切り替えが実施されるアップ・ダウンキーを有し、前記アップ・ダウンキーを操作することにより、前記メディアプレーヤ制御手段は、前記記憶された対応関係を順次参照していく構成としてある。
【００１２】
前記のように構成された発明では、リモコン装置のアップ・ダウンキーを順次操作することにより、メディアプレーヤ制御手段は、記憶された対応関係を順次参照し、制御信号を出力していく。これにより、アップ・ダウンキーを順次操作するだけの簡易な操作で、メディアプレーヤの駆動を制御することができる。
【００１３】
そして、ユーザがメディアプレーヤの操作をより行い易くするために、本発明では、前記メディアプレーヤ制御手段は、前記対応関係を画面上に表示させる構成としてある。
前記のように構成された発明では、画面上に対応関係を表示することにより、ユーザは画面を参照しながらユーザインタフェースを操作することができ、メディアプレーヤの操作をより行い易くすることができる。
【００１４】
さらに、対応関係記憶手段が記憶する制御命令の構成として、本発明では、前記対応関係記憶手段は、前記対応関係を階層状に記憶する構成としてある。
前記のように構成された発明では、対応関係記憶手段は、制御命令を階層状に記憶しており、メディアプレーヤ制御手段は、ユーザインタフェースの操作を受付けることで階層状に記憶された制御命令を順次参照していく。これにより画面上で対応関係が表示される場合などでは、ユーザは各対応関係を視覚的に捉えやすくすることができる。
【００１５】
また、メディアプレーヤに記憶されるコンテンツはその使用に応じて更新されるため、コンテンツの更新に応じて対応関係を更新することも有効である。そのため、本発明では、前記メディアプレーヤ制御手段は、前記メディアプレーヤが接続されるごとに、前記記憶された対応関係を更新する構成としてある。
つまり、メディアプレーヤを接続するたびに対応関係が更新されることで、ユーザは最新の対応関係によりメディアプレーヤをユーザインタフェースで操作することができる。
【００１６】
また、メディアプレーヤを接続するに際し、表示装置に付加的な機能を与えるものであってもよい。そのため、本発明では、前記メディアプレーヤ接続手段は、接続した前記メディアプレーヤを充電可能である構成としてある。
前記のように構成された発明では、メディアプレーヤを本表示装置に接続する際、充電を行なえるようにすることにより、ユーザは個別の充電動作を省略することができる。
【００１７】
また、本発明は、表示装置のみからなる発明に限定されず、メディアプレーヤと表示装置とが一体となった表示装置セットにも適応することができる。
【００１８】
さらに、本発明の具体的な構成として、本発明では、テレビジョン放送信号を受信するフロントエンド部を有し、前記ユーザインタフェースは、複数の操作キー及びアップ・ダウンキーを配置したリモコン装置及び操作パネルであって、前記メディアプレーヤ接続手段は、前記メディアプレーヤと接続するドッキングステーションを備えるとともに、接続した前記メディアプレーヤを充電可能であって、前記対応関係記憶手段は、前記操作信号と、前記メディアプレーヤが再生可能なコンテンツとの対応関係を階層状に記憶し、前記ドッキングステーションに前記メディアプレーヤを接続させた際、前記メディアプレーヤ制御手段は、前記記憶された対応関係を更新するとともに、前記アップ・ダウンキーを順次操作することにより、前記階層状に記憶された対応関係を順次参照し、画面上に前記対応関係を表示する構成としてある。
【発明の効果】
【００１９】
以上説明したように請求項１及び請求項８にかかる本発明によれば、接続したメディアプレーヤを接続先の機器が備えるユーザインタフェースにより操作することができる。
また請求項２にかかる発明によれば、ユーザインタフェースの操作に合わせて表示装置にデータを出力させることができる。
そして請求項３にかかる発明によれば、簡易な操作で、メディアプレーヤの駆動を制御することができる。
さらに請求項４にかかる発明によれば、画面を参照しながらユーザインタフェースを操作することができ、メディアプレーヤの操作をより行い易くすることができる。
また請求項５にかかる発明によれば、画面上で対応関係が表示される場合などでは対応関係が見やすくなる。
さらに請求項６にかかる発明によれば、コンテンツの更新に合わせて最新の対応関係で操作をすることができる。
そして請求項７にかかる発明によれば、ユーザは個別の充電動作を省略することができる。
さらに請求項９のような、より具体的な構成において、上述した請求項２〜請求項７の各発明と同様の作用を奏することはいうまでもない。
【発明を実施するための最良の形態】
【００２０】
以下、下記の順序に従って本発明の実施形態を説明する。
（１）テレビジョン受信機の構成
（２）テレビジョン受信機の作用・効果
（３）各種変形例
（４）まとめ
【００２１】
（１）テレビジョン受信機の構成 
本発明は、メディアプレーヤと接続可能なテレビジョン受信機において、接続されたメディアプレーヤの駆動をテレビジョン受信機側のユーザインタフェースにより制御するものである。
【００２２】
図１は、テレビジョン受信機１００のブロック構成図である。テレビジョン受信機１００は、取得した映像データ及び音声データを出力する受像機９０と、受像機９０の駆動を制御するユーザインタフェース８０とから構成されている。受像機９０は、メディアプレーヤ２００と電気的に接続可能なメディアプレーヤ接続手段７０と、ユーザインタフェース８０を操作することにより出力される操作信号と、この操作信号に対応した受像機９０の各種制御命令、及び接続されたメディアプレーヤ２００の各種制御命令とを対応付けて記憶する対応関係記憶手段６０と、操作信号を受信するとともに、記憶された対応関係を参照して、受信した操作信号に対応した各種制御命令を接続されたメディアプレーヤ２００に出力するメディアプレーヤ制御手段５０とを備えている。
【００２３】
上述したテレビジョン受信機１００では、ユーザがユーザインタフェース８０を操作することにより、メディアプレーヤ制御手段５０は、対応関係記憶手段６０を参照して、入力された操作信号に対応したメディアプレーヤ２００の制御命令をメディアプレーヤ接続手段７０からメディアプレーヤ２００に出力する。これにより、テレビジョン受信機１００側のユーザインタフェース８０を操作することで、メディアプレーヤ２００の駆動を制御することができる。
【００２４】
本発明の実施の形態におけるテレビジョン受信機１００では、ユーザインタフェース８０は、リモコン装置８１や、受像機９０に配置された操作パネル８２である。また、メディアプレーヤ接続手段７０は、メディアプレーヤ２００とテレビジョン受信機１００との間を所定の信号形式で接続するインタフェースである。そのため、メディアプレーヤ接続手段７０は、受像機９０側に配置された拡張バス７１やこの拡張バス７１とメディアプレーヤ２００との間を繋ぐケーブル７２及びドッキングステーション７３とで構成される。そして、対応関係記憶手段６０は、書込み可能な記憶媒体であるＰＲＯＭ６１により構成される。さらに、メディアプレーヤ制御手段５０は、受像機９０の駆動を制御する制御部５１と、リモコン装置８１から出力される操作信号を制御部５１に出力するするリモコン受信部５２とから構成される。
【００２５】
また、受像機９０は、各種テレビジョン放送信号を受信するフロントエンド部９１と、フロントエンド部９１からのデータ出力と拡張バス７１を介して入力されるデータとのいずれかを切替える切り替えスイッチ９２と、切り替えスイッチ９２を介して入力されたデータに所定の信号処理を施すグラフィックコントローラ９３と、グラフィックコントローラ９３から出力されたデータを基に映像を表示するディスプレイモジュール９４と、入力されたデータを基に音声を出力する音声出力部９５とを備えている。これにより、テレビジョン受信機１００では、フロントエンド部９１が取得したテレビジョン放送信号、又はメディアプレーヤ２００から出力されるコンテンツデータとしての映像データをグラフィックコントローラ９３が所定の信号処理を施し、その後、ディスプレイモジュール９４がディジタル／アナログ変換して映像を表示する。また、音声出力部９５が音声データを音声として出力する。
【００２６】
ここで、簡単に本発明に係るテレビジョン受信機と接続するメディアプレーヤ２００について説明を行なう。本発明におけるメディアプレーヤとは、特定のコンテンツを再生できるものであればよく、その一例としてポータブルオーディオ、ポータブルゲーム機、及び携帯電話等も含むことができる。図２は、一例としてのメディアプレーヤを示す斜視図である。このメディアプレーヤ２００は、筐体内部に、各種コンテンツデータを記憶する記憶媒体と、メディアプレーヤ２００の駆動を制御する制御部とを内蔵している。メディアプレーヤ２００は、記憶媒体に記憶されたコンテンツデータを操作キー２０１の操作に基づいてディスプレイ２０２に表示したり、イヤホン２０３から音声として出力することができる。また、メディアプレーヤ２００は、外部機器と接続可能なポート２０４備えており、このポート２０４を外部機器の拡張バスと接続させることにより、外部機器との間でコンテンツデータ及び制御命令を受け渡すことができる。なお、ポート２０４の規格としては、その一例としてＩＥＥＥ１３９４を上げることができる。
【００２７】
メディアプレーヤ２００は、ドッキングステーションを用いて受像機９０と接続することができる。図３は、本実施の形態におけるテレビジョン受信機１００とメディアプレーヤ２００とを表す斜視図である。テレビジョン受信機１００は、受像機９０の自立を支持するスタンド９６を備えており、このスタンド９６の前面側にはメディアプレーヤ２００を保持するドッキングステーション７３が配置されている。ドッキングステーション７３には、メディアプレーヤ２００の下面と同寸のスリット７３ａが形成されており、このスリット７３ａの底面にはメディアプレーヤ２００のポート２０４と接続するコネクタ７３ｂが配置されている。これにより、スリット７３ａにメディアプレーヤ２００のポート２０４側を挿入することで、ポート２０４とコネクタ７３ｂとが接続される。また、コネクタ７３ｂは、ケーブル７２を介して拡張バス７１と接続しており、メディアプレーヤ２００と受像機９０との間でコンテンツ及び制御命令を受け渡す。さらに、拡張バス７１を含めたインタフェースがＩＥＥＥ１３９４規格である場合は、図示しない電源回路からの電源を用いて接続されたメディアプレーヤ２００を充電することができる。なお、ドッキングステーション７３の受像機９０における配置場所は一例であり、これに限定されるものではない。
【００２８】
リモコン装置８１や、操作パネル８２は複数の操作キーを配置しており、この操作キーの操作によりチャンネルの選局や、主電源の入り切り、さらにはメニュー画面の切り替えを実行することができる。ユーザが操作キーを操作すると、リモコン装置８１及び操作パネル８２は、操作キーに対応した操作信号を制御部５１に出力する。例えば、リモコン装置８１を操作した場合は、操作信号は赤外線に変換されてリモコン受信部５２に送信される。リモコン受信部５２は、赤外線信号を再度ディジタル信号に変換した後、制御部５１に操作信号を出力する。なお、リモコン装置８１や操作パネル８２は、各チャンネル番号に対応したチャンネルキー８１ａの他、操作するごとに順次選局や外部入力の切り替えを実行するアップ・ダウンキー８１ｂを備えている。さらに、リモコン装置及び操作パネル８２は、メディアプレーヤ２００を操作するためのメディアキー８１ｃを備えている。
【００２９】
メディアキー８１ｃは、受像機９０と接続したメディアプレーヤ２００の駆動を制御するための操作キーである。具体的には、メディアキー８１ｃを操作することにより、受像機９０からメディアプレーヤ２００に各種制御命令が出力される。具体的には、メディアキー８１ｃを操作するごとに、メディアプレーや２００が再生可能なコンテンツを受像機９０に出力する。そのため、メディアキー８１ｃは、コンテンツの内、映像データを出力するための映像出力キー８１ｃ１や、音声データを出力するための音声出力キー８１ｃ２とから構成される。なお、各操作キーはプッシュ式の操作キーを基に説明を行なっているが、操作キーの構成としてはこれに限定されず、ジョグダイヤル形式のものや、画面上に表示されるタッチパネル形式のものであってもよい。
【００３０】
ＰＲＯＭ６１は、データベースとしてのテーブル６２を記憶している。テーブル６２は、ユーザインタフェース８０の操作により出力された操作信号と、この操作信号に対応する受像機９０及びメディアプレーヤ２００に対する各種制御命令との対応関係を記憶している。図４は、ＰＲＯＭ６１に記憶されたテーブル６２を示す図である。テーブル６２は、操作キーの操作と、その操作により選択されるチャンネル、外部出力、及びメディアプレーヤ２００が再生可能なコンテンツとを記憶している。図では、図中左列に各操作キーから出力される操作信号の名称が記憶され、これに対応するよう図中右列に選択されるチャンネルや外部出力、更にはコンテンツの名称が記憶されている。なお、テーブル６２は予め設定されているものとしているが、ユーザが設定を行なうものであってもよい。
【００３１】
制御部５１は、テレビジョン受信機１００の駆動を制御する。制御部５１は、演算中枢としてのＣＰＵ５３と、ＣＰＵ５３が実行する各種プログラムを記憶するマスクＲＯＭ５４と、ＣＰＵ５３がプログラムやデータを一次的に展開するＲＡＭ５５とを備える構成である。なお、マスクＲＯＭ５４は、ＣＰＵ５３が各メモリに記憶されたデータの管理や各種デバイスを制御するための基本プログラム５４ａや、入力される操作信号に基づいて、接続されたメディアプレーヤ２００を含めた各種デバイスにＣＰＵ５３が制御命令を出力するための制御プログラム５４ｂとを記憶している。これにより、ユーザインタフェース８０からの操作信号がＣＰＵ５３に入力されると、マスクＲＯＭ５４に記憶された各種プログラムに基づいてＣＰＵ５３が制御命令を各デバイスに出力する。
【００３２】
図５は、制御プログラムのフローチャート、及びメディアプレーヤ２００の制御部で実行されるフローチャートである。この制御プログラムは、受像機９０のメイン電源が挿入されると、ＣＰＵ５３がマスクＲＯＭ５４から読み出しを行なうことで実行される。まず、メディアプレーヤ２００をドッキングステーション７３に接続させると、ＣＰＵ５３はＰＲＯＭ６１に記憶されたテーブル６２を最新のものに更新する。具体的には、ＣＰＵ５３は、拡張バス７１からメディアプレーヤ２００が記憶する各コンテンツの情報を取得して、テーブル６２の対応関係を更新する（ステップＳ１００）。次に、ユーザがリモコン装置８１を操作して、この操作に対応した操作信号がＣＰＵ５３に入力されると（ステップＳ１１０）、ＣＰＵ５３はＰＲＯＭ６１に記憶されたテーブル６２を参照する（ステップＳ１２０）。ここで、リモコン装置８１のメディアキー８１ｃ以外が操作された場合は（ステップＳ１３０）、ＣＰＵ５３はテーブル６２を参照して、入力された操作信号に対応した制御命令を各デバイスに出力する（ステップＳ１４０）。
【００３３】
また、ステップＳ１３０でメディアキー８１ｃを操作して対応した操作信号が入力された場合は、ＣＰＵ５３はテーブル６２を参照するとともに、参照した制御命令を拡張バス７１に出力する（ステップＳ１５０）。これにより、メディアプレーヤ２００ではポート２０４を介して入力された制御命令を制御部が受信すると、受信した制御命令に従って各種駆動を実行する（ステップＳ２１０、２２０）。具体的には、記憶媒体に記憶された各種コンテンツデータを参照して、ポート２０４から受像機９０に出力する。受像機９０では、ＣＰＵ５３が受信したデータを対応したデバイスに出力するよう命令する（ステップＳ１６０〜Ｓ１７０）。つまり、コンテンツデータの内、映像データが入力された場合は、ＣＰＵ５３はスイッチ９２を切り替え、受信した映像データをグラフィックコントローラ９３に出力する。同様に、音声データを受信した場合は音声出力部９５に出力する。
【００３４】
また、アップ・ダウンキー８１ｂを操作して操作信号をＣＰＵ５３に出力した場合は、ＣＰＵ５３はこの操作信号に応じて、テーブル６２に記憶された各対応関係を順次参照していく。つまり、アップ・ダウンキー８１ｂの操作に応じて、テーブル６２に記憶された制御命令が順次、対応したデバイスに出力されていく。これにより、ユーザインタフェース８０の操作により出力された制御命令がメディアプレーヤ２００に出力されて、メディアプレーヤ２００の駆動を制御する。
【００３５】
（２）テレビジョン受信機の作用・効果
図６を基に本テレビジョン受信機１００の作用・効果を説明する。メディアプレーヤ２００をドッキングステーション７３を用いて受像機９０に接続させた状態で、リモコン装置８１のメディアキー８１ｃを操作した場合を想定する。このとき、メディアキー８１ｃの映像出力キー８１ｃ１を操作すれば、メディアプレーヤ２００は入力された制御命令に従って記憶媒体に記憶されたコンテンツデータにおける映像データを読み出し再生を行なう。このとき、再生された映像データはポート２０４から受像機９０の拡張バス７１に出力される。これにより、映像データは、グラフィックコントローラ９３で所定の信号処理を施された後、ディスプレイモジュール９４で映像として表示される。同様に、メディアキー８１ｃの音声出力キー８１ｃ２を操作した場合は、メディアプレーヤ２００は記憶媒体に記憶された音声データを入力された制御命令に従って読み出し再生を行なう。再生された音声データは、拡張バス７１から受像機９０に入力され、音声出力部９５で再生される。
【００３６】
このように、テレビジョン受信機１００とメディアプレーヤ２００とを接続させた状態で、テレビジョン受信機１００側のユーザインタフェース８０を操作することにより、メディアプレーヤ２００の駆動を制御することができる。そのため、ユーザは、わざわざ、接続されたメディアプレーヤ２００側で操作をする必要がなくなる。このことは、例えば、ユーザがテレビジョン受信機１００と距離を空けて視聴している場合に非常に有効である。
【００３７】
（３）各種変形例
本発明に係るテレビジョン受信機１００には各種変形例が存在する。
図７に示すように、画面上にＰＲＯＭ６１に記憶された対応関係を表示させるものであってもよい。具体的には、グラフィックコントローラ９３が、映像データにレイヤー処理を行なうＯＳＤ映像を生成できる機能を有する場合は、メディアキー８１ｃの操作によりＣＰＵ５３がグラフィックコントローラ９３にテーブル６２に記憶された対応関係を表す文字列を生成させる構成とすればよい。このため、メディアキー８１ｃを操作すると、ディスプレイモジュール９４には対応関係が表示されるため、ユーザはどのメディアキー８１ｃがどのコンテンツに対応しているかを確認しながらメディアプレーヤ２００を操作することができる。
【００３８】
また、ＰＲＯＭ６１に記憶された対応関係を階層状に記憶するものであってもよい。図８（ａ）に示すように、画面上に表示されたテーブルの「ＰＯＤ」の文字列に対応したメディアキー８１ｃをユーザが操作すると、図８（ｂ）に示すように、「ＰＯＤ」の文字列の下に階層状に各コンテンツを示す文字列が表示される。そのため、ユーザが音声出力キー８１ｃ２を操作すると、アイコン３００が文字列の内、音声データを示すコンテンツを選択する。これにより、選択された音声データがメディアプレーヤ２００から受像機９０に出力される。これにより、ユーザが画面上で各対応関係を視覚的にイメージしながら操作を行なうことができる。
【００３９】
さらに、受像機９０のドッキングステーション７３の配置位置は、図３等で示した位置に限定されず、図９（ａ）に示すように、スタンド９６における本体前面側や、図９（ｂ）に示す受像機９０の上面に配置する構成であってもよい。
【００４０】
（４）まとめ
本発明に係るテレビジョン受信機１００は、取得した映像データを表示する受像機９０と、受像機９０の駆動を制御するユーザインタフェース８０とから構成されている。受像機９０は、メディアプレーヤ２００と電気的に接続可能なメディアプレーヤ接続手段７０と、ユーザインタフェース８０を操作することにより出力される操作信号と、この操作信号に対応したメディアプレーヤ２００に対する各種制御命令とを対応付けて記憶する対応関係記憶手段６０と、操作信号を受信するとともに、記憶された対応関係を参照して、受信した操作信号に対応した各種制御命令を接続されたメディアプレーヤ２００に出力するメディアプレーヤ制御手段５０とを備えている。
【００４１】
なお、本発明は前記実施例に限られるものでないことは言うまでもない。当業者であれば言うまでもないことであるが、
・前記実施例の中で開示した相互に置換可能な部材および構成等を適宜その組み合わせを変更して適用すること
・前記実施例の中で開示されていないが、公知技術であって前記実施例の中で開示した部材および構成等と相互に置換可能な部材および構成等を適宜置換し、またその組み合わせを変更して適用すること
・前記実施例の中で開示されていないが、公知技術等に基づいて当業者が前記実施例の中で開示した部材および構成等の代用として想定し得る部材および構成等と適宜置換し、またその組み合わせを変更して適用すること
は本発明の一実施例として開示されるものである。
【図面の簡単な説明】
【００４２】
【図１】テレビジョン受信機のブロック構成図である。
【図２】一例としてのメディアプレーヤを示す斜視図である。
【図３】本実施の形態におけるテレビジョン受信機とメディアプレーヤとを表す斜視図である。
【図４】ＰＲＯＭに記憶されたテーブルを示す図である。
【図５】制御プログラムのフローチャート、及びメディアプレーヤの制御部で実行されるフローチャートである。
【図６】一例としてのテレビジョン受信機に接続されるメディアプレーヤを示す斜視図である。
【図７】変形例としてのテレビジョン受信機に接続されるメディアプレーヤを示す斜視図である。
【図８】変形例としてのテレビジョン受信機に接続されるメディアプレーヤを示す斜視図である。
【図９】変形例としてのテレビジョン受信機を示す斜視図である。
【符号の説明】
【００４３】
５０…メディアプレーヤ制御手段、５１…制御部、５２…リモコン受信部、５３…ＣＰＵ、５４…マスクＲＯＭ、５４ａ…基本プログラム、５４ｂ…制御プログラム、５５…ＲＡＭ、６０…対応関係記憶手段、６１…ＰＲＯＭ、６２…テーブル、７０…メディアプレーヤ接続手段、７１…拡張バス、７２…ケーブル、７３…ドッキングステーション、７３ａ…スリット、７３ｂ…コネクタ、８０…ユーザインタフェース、８１…リモコン装置、８１ａ…チャンネルキー、８１ｂ…アップ・ダウンキー、８１ｃ…メディアキー、８１ｃ１…映像出力キー、８１ｃ２…音声出力キー、８２…操作パネル、９０…受像機、９１…フロントエンド部、９２…スイッチ、９３…グラフィックコントローラ、９４…ディスプレイモジュール、９５…音声出力部、９６…スタンド、１００…テレビジョン受信機、２００…メディアプレーヤ、２０１…操作キー、２０２…ディスプレイ、２０３…イヤホン、２０４…ポート、３００…アイコン
【図１】
2009049770.tif 000003
【図２】
2009049770.tif 000004
【図３】
2009049770.tif 000005
【図４】
2009049770.tif 000006
【図５】
2009049770.tif 000007
【図６】
2009049770.tif 000008
【図７】
2009049770.tif 000009
【図８】
2009049770.tif 000010
【図９】
2009049770.tif 000011